(57)【要約】【課題】ヒンジの回動トルクを大きくすることなく、表示ユニットのフリーストップを可能とし、操作性を向上できるようにする。【解決手段】装置本体Ａと、この装置本体Ａの上面部にヒンジ１７を介して開閉自在に設けられ、情報を表示する表示ユニットＢと、ヒンジ１７の軸受孔２０内に挿通される金属シャフト２１に装着され、表示ユニットＢを開放する方向に付勢するトーションバネ２４とを具備する。【選択図】図３
2011022834.tif 000002
【特許請求の範囲】
【請求項１】
装置本体と、
この装置本体の上面部に枢支部を介して開閉自在に設けられ、情報を表示する表示ユニットと、
前記枢支部に設けられ、前記表示ユニットを開放する方向に付勢する付勢手段と
を具備することを特徴とする商品データ処理装置。
【請求項２】
前記枢支部は、ヒンジを有してなることを特徴とする請求項１記載の商品データ処理装置。
【請求項３】
前記ヒンジは、樹脂製で軸受孔を有し、前記軸受孔内に金属シャフトが挿通されることを特徴とする請求項２記載の商品データ処理装置。
【請求項４】
前記付勢手段はトーションバネであることを特徴とする請求項１又は３記載の商品データ処理装置。
【請求項５】
前記トーションバネは、そのコイル部内に前記金属シャフトが挿通されて取り付けられることを特徴とする請求項４記載の商品データ処理装置。
【請求項６】
前記表示ユニットは、一画面を有し、この一画面がオペレータ及び顧客の画面として兼用されることを特徴とする請求項１記載の商品データ処理装置。
【発明の詳細な説明】
【技術分野】
【０００１】
本発明は、例えば顧客に対し商品の説明が可能な商品データ処理装置に関する。
【背景技術】
【０００２】
クレジットカード、デビットカード等での決済が可能な小型のＰＯＳ（Point Of Sales）端末等の商品データ処理装置には、装置本体を備え、この装置本体の上面部に表示ユニットを枢支部を介して開閉自在に設けるものがある。
【０００３】
また、この商品データ処理装置には、表示ユニットの画面をオペレータ側、或いは顧客側で兼用できるようにしたものがある。
【０００４】
即ち、オペレータ側で利用する場合には、表示ユニットを閉じて装置本体に重ね合わせた状態としてその画面を見るようにしている。顧客側で利用する場合には、オペレータが表示ユニットを開いて装置本体に対し立ち上げた状態にしてその画面を顧客側に向けるようにしている。
【０００５】
ところで、上記した表示ユニットの枢支部は、例えばヒンジ機構によって構成され、その回動トルクを増大させることにより、表示ユニットの開放動作の途中で手を離した場合でも、自重によって下がることなくその開放位置を保持する所謂フリーストップを実現している（例えば、特許文献１参照。）。
【発明の概要】
【発明が解決しようとする課題】
【０００６】
しかしながら、従来においては、ヒンジ機構の回動トルクを大きくしてフリーストップを実現していたため、小型のＰＯＳシステムの商品データ処理装置では、装置本体が軽量であることから、表示ユニットを持ち上げて開こうとすると、装置本体が浮き上がってしまうことがあった。このため、装置本体が浮き上がらないように装置本体を手で押さえて表示ユニットを開放しなければならず、操作性が悪いものとなっていた。
【０００７】
本発明は上記事情に着目してなされたもので、その目的とするところは、枢支部の回動トルクを大きくすることなく、表示ユニットのフリーストップを実現し、操作性の優れる商品データ処理装置を提供することにある。
【課題を解決するための手段】
【０００８】
上記の課題を解決するため、本発明は、装置本体と、この装置本体の上面部に枢支部を介して開閉自在に設けられ、情報を表示する表示ユニットと、前記枢支部に設けられ、前記表示ユニットを開放する方向に付勢する付勢手段とを具備することを特徴とする。
【発明の効果】
【０００９】
本発明によれば、枢支部の回動トルクを大きくすることなく、表示ユニットのフリーストップを実現し、操作性の優れる商品データ処理装置を提供することができる。
【図面の簡単な説明】
【００１０】
【図１】本発明の一実施の形態である商品データ処理装置を示す斜視図。
【図２】図１の商品データ処理装置の表示ユニットを開いた状態を示す斜視図。
【図３】図２の表示ユニットを開閉自在に枢支する枢支部を示す斜視図。
【発明を実施するための形態】
【００１１】
以下、本発明の実施の形態について、図面を参照して詳細に説明する。
【００１２】
図１は、本発明の一実施の形態に係わる商品データ処理装置を示す斜視図である。  
商品データ処理装置１は、装置本体Ａとその装置本体Ａの上面に上縁側が開閉自在に枢支された表示ユニットＢとからなる。装置本体Ａには開閉釦６が設けられ、この開閉釦６の押下により表示ユニットＢの下縁側と装置本体Ａとの係合が解除される。この解除により、図２に示すように、表示ユニットＢが矢印方向に開くことができるようになっている。
【００１３】
装置本体Ａは、電源釦２、ＵＳＢ（登録商標）ポート３が設けられた前面部、およびこの前面部の上縁部分を覆う状態に設けられた開閉自在な前面カバーＡ１、および側面部の一部を覆う状態に設けられた開閉自在な側面カバーＡ２を備える。
【００１４】
前面カバーＡ１には、レシート発行口５および上記した開閉釦６が設けられている。レシート発行口５からは、装置本体Ａに内蔵されているプリンタ（図示しない）により印字されたレシートが排出される。
【００１５】
表示ユニットＢには、タッチパネル式ディスプレイ７およびカードリーダ８が設けられている。タッチパネル式ディスプレイ７は、処理内容の表示及び操作入力の双方が可能なＧＵＩ（Graphical User Interface）として機能する。カードリーダ８は、クレジットカード、ポイントカード等の各種磁気カードやＩＣカードが差し込まれてスライドされることにより、これらカードに記録されているデータを読取る。
【００１６】
表示ユニットＢを開くと、装置本体Ａの上面にレシート用紙９，プラテンカバー１０，プラテンローラ１１及び上面カバーＡ３が露出する。レシート用紙９は、ロール状に巻回され、加熱により印刷面が変色する発色型感熱紙である。プラテンカバー１０を閉じたとき、プラテンローラ１１によりレシート用紙９が加圧され、そのレシート用紙９を挟んでプラテンローラ１１と対向配置されているサーマルヘッド（図示しない）からの加熱によりレシート用紙９に処理情報等が印字される。
【００１７】
ところで、上記した表示ユニットＢは、図３に示すように装置本体Ａに対して枢支部１５を介して開閉自在に取り付けられている。
【００１８】
表示ユニットＢの上緑内面側の両側部には、それぞれ凹部１６が形成され（一方の凹部のみ図示する）、この凹部１６内に合成樹脂製のヒンジ１７が設けられている。ヒンジ１７は固定ネジ１８によって凹部１６の内底面に固定され、ヒンジ１７の軸受孔２０内には金属シャフト２１が挿通されている。この金属シャフト２１の一端部側は凹部１６の内側壁面に固定され、他端部側は支持脚２２によって固定的に支持されている。支持脚２２は装置本体Ａの上面部に固定ネジ２３によって固定されている。
【００１９】
一方、金属シャフト２１の一端部側には付勢部材としてのトーションバネ２４が装着されている。トーションバネ２４はコイル部２４ａと，このコイル部２４ａの両側部から延びる両腕部２４ｂ，２４ｃとから構成され、コイル部２４ａ内に金属シャフト２１が挿通されている。
【００２０】
トーションバネ２４はその両腕部２４ｂ，２４ｃを広げる方向に付勢力を有し、一方の腕部２４ｂを装置本体Ａの上面部に圧接させ、他方の腕部２４ｃを表示ユニットＢの凹部１６の内底面部に圧接させている。
【００２１】
このトーションバネ２４はそのバネ力で表示ユニットＢを開く方向に付勢しているが、オペレータが表示ユニットＢを開く際には、その開放を補助する補助力として機能し、また、オペレータが表示ユニットＢから手を離すと、自重で勝手に下がらないようにその位置で停止させる所謂フリーストップを実現するようになっている。
【００２２】
次に、上記したように構成される商品データ処理装置１の使用方法について説明する。
【００２３】
まず、オペレター側で使用する場合には、図１に示すように表示ユニットＢを閉じた状態にし、この状態でディスプレイ７にタッチして入力操作を行なったり、表示される処理内容を見る。
【００２４】
顧客側で、表示ユニットＢを利用する場合には、オペレータが開閉釦６を押圧操作して表示ユニットＢのロックを解除し、表示ユニットＢの下緑部側を持ち上げる。このとき、トーションバネ２４のバネ力が表示ユニットＢの押し上げ力として補助的に付与され、表示ユニットＢはスムーズに押し上げられて開放される。表示ユニットＢが所定角度開放されてそのディスプレイ７が顧客側に向けられた状態になると、オペレータは表示ユニットＢから手を離す。このとき、表示ユニットＢは、トーションバネ２４のバネ力によって保持された状態となり、自重により落下することなくフリーストップを実現する。顧客は向けられたディスプレイ７の表示内容を見て情報を得ることになる。
【００２５】
顧客側が表示ユニットＢのディスプレイ７の情報を見終わったのちは、オペレータが表示ユニットＢをトーションバネ２４のバネ力に抗して押し下げて閉じる。
【００２６】
上記したように、この実施の形態によれば、トーションバネ２４のバネ力により、表示ユニットＢを開放する方向に付勢するため、ヒンジ１７の回動トルクを大きくすることなくフリーストップを実現することができる。
【００２７】
従って、表示ユニットＢを持ち上げても、装置本体Ａが浮き上がってしまうことがなく、操作性を向上できるという利点がある。
【００２８】
また、表示ユニットＢを閉じるときには、トーションバネ２４のバネ力に抗して押し下げるため、表示ユニットＢを急激に閉じてしまう虞もない。
【００２９】
なお、この発明は、上述した実施の形態そのままに限定されるものではなく、実施段階ではその要旨を逸脱しない範囲で構成要素を変形して具体化できる。
【符号の説明】
【００３０】
Ａ…装置本体、Ｂ…表示ユニット、１７…ヒンジ（枢支部）、２０…軸受孔、２１…金属シャフト、２４…トーションバネ（付勢手段）、２４ａ…コイル部。
【先行技術文献】
【特許文献】
【００３１】
【特許文献１】特開２００５−７６７９０号公報
【図１】
2011022834.tif 000003
【図２】
2011022834.tif 000004
【図３】
2011022834.tif 000005